(57)【要約】【課題】飲食店におけるコースター、ランチョンマット、はし袋、紙ナプキン、おしぼり袋、灰皿等のテーブル常備品や、マッチ、ライター、名刺、店舗案内用のショップカード・ポストカード・ちらし、ＤＭ等のノベルティーにＱＲコードを印刷表示して、広告効果を大ならしめる。【解決手段】コースター、ランチョンマット、はし袋、紙ナプキン、おしぼり袋、灰皿等の飲食店のテーブル常備品、およびマッチ、ライター、名刺、店舗案内用のショップカード・ポストカード・ちらし、ＤＭ等の飲食店が宣伝用に配布するノベルティー２にＱＲコード１を表示する。【選択図】図１
0003112242.tif 000002
【実用新案登録請求の範囲】
【請求項１】
コースター、ランチョンマット、はし袋、紙ナプキン、おしぼり袋、灰皿等の飲食店のテーブル常備品、およびマッチ、ライター、名刺、店舗案内用のショップカード・ポストカード・ちらし、ＤＭ等の飲食店が宣伝用に配布するノベルティーにＱＲコードを表示したことを特徴とする飲食店におけるテーブル常備品およびノベルティー。
【考案の詳細な説明】
【技術分野】
【０００１】
本考案は、飲食店において飲食の用に供するため、テーブル上に載置する常備品であるコースター、ランチョンマット、はし袋、紙ナプキン、おしぼり袋、灰皿や、飲食店が宣伝用に配布するマッチ、ライター、名刺、店舗案内用のショップカード・ポストカード・ちらし、ＤＭ等のノベルティーにＱＲコードを付すことにより、広告効果を大ならしめようとするＱＲコードを表示した飲食店におけるテーブル常備品およびノベルティーに関するものである。
【背景技術】
【０００２】
従来、飲食店において飲食の用に供するため、テーブル上に載置する常備品であるコースター、ランチョンマット、はし袋、紙ナプキン、おしぼり袋、灰皿や、飲食店が宣伝用に配布するマッチ、ライター、名刺、店舗案内用のショップカード・ポストカード・ちらし、ＤＭ等のノベルティーにＱＲコードを表示したものは、実用に供されていない。そして、ＱＲコードを用いた広告方法等につき、過去の特許文献を遡及検索すると、特開２００２−１１１９０９号公報に開示された情報提供サービスが公知である。
【０００３】
【特許文献１】特開２００２−１１１９０９号公報
【考案の開示】
【考案が解決しようとする課題】
【０００４】
前記特許文献１に開示された情報提供サービスは、広告依頼者が、情報センターに広告に関する情報を登録すると、情報センターは、広告固有の広告内容識別情報を示すＱＲコードを付与する。そして、広告依頼者は、前記ＱＲコードを雑誌等の広告媒体に印刷するよう広告会社に依頼し、該ＱＲコードが雑誌等に印刷表示される。前記雑誌の広告を見た利用者が広告に関する情報を知りたいときは、撮影機能を備えた携帯電話機によりＱＲコードを撮影することにより、携帯電話端末から、ＱＲコードが示す接続情報に基づいてサーバにアクセスすると、該サーバから広告内容情報が携帯電話に送信され、利用者の携帯電話の表示面に表示するよう形成されている。
【０００５】
しかしながら、前記特許文献１に開示されたものは、不特定多数の人を相手とする雑誌にＱＲコードを掲載するので、広告会社等に支払う広告費用が高額となり、更にサーバにアクセスした人が全て来店するという保証もなく、広告が全く無駄になるという虞れがあった。
【０００６】
本考案は、前記課題を解決すべくなされたもので、飲食店において飲食の用に供するため、テーブル上に載置する常備品であるコースター、ランチョンマット、はし袋、紙ナプキン、おしぼり袋、灰皿や、飲食店が宣伝用に配布するマッチ、ライター、名刺、店舗案内用のショップカード・ポストカード・ちらし、ＤＭ等のノベルティーにＱＲコードを表示しておいて、実際に店に来た利用客が、店の料理や値段、または雰囲気等が自分の好みに合うと考えた場合など、任意に前記ＱＲコードを撮影し、店舗情報をデータベースサーバから受信できるようにして、広告会社等への広告料の支払いを不要とする一方、広告効果を大ならしめるようとするＱＲコードを付した飲食店におけるテーブル常備品およびノベルティーを提供しようとするものである。
【課題を解決するための手段】
【０００７】
本考案は、コースター、ランチョンマット、はし袋、紙ナプキン、おしぼり袋、灰皿等の飲食店のテーブル常備品、およびマッチ、ライター、名刺、店舗案内用のショップカード・ポストカード・ちらし、ＤＭ等の飲食店が宣伝用に配布するノベルティーにＱＲコードを表示するという手段を採用することにより、上記課題を解決した。
【考案の効果】
【０００８】
本考案によれば、実際に飲食店に来た利用客が、店の料理や値段、または雰囲気等が自分の好みに合うと考えた場合など、任意に自己の所有する携帯電話機で、コースター等に印刷表示されたＱＲコードを撮影して、データベースサーバにアクセスすることにより、店の地図、住所、電話番号、値段、セールスポイント等の店舗情報が、前記サーバから携帯電話端末に送信され、利用者は前記店舗情報を携帯電話機に読み込み保存し、好みのときに再生することができるようにすることにより、広告会社等に支払う広告料を不要とすると共に、店に入った客が気に入ったときのみＱＲコードを撮影するので、店へのリピート率や、くちコミ率も高くなると共に、顧客の満足度を高めることができるという効果を奏する。
【実施例】
【０００９】
本考案の実施例を図面に基づいて詳細に説明する。図１は、ＱＲコード１をコースター２に印刷表示した平面図である。図１においては、飲食店におけるテーブル上に載置する常備品、および宣伝用に配布するノベルティーとして、コースター２を例として挙げて図示しているが、該コースター２以外のランチョンマット、はし袋、紙ナプキン、おしぼり袋、灰皿等のテーブル常備品、更には宣伝用に配布するマッチ、ライター、名刺、店舗案内用のショップカード・ポストカード・ちらし、ＤＭ等のノベルティーにも、当然図示していないが、前記ＱＲコードは印刷等により表示される。
【００１０】
前記ＱＲコード１は、広告依頼者(飲食店)がＱＲコードを作成する登録センターのデータベースサーバへ所定の店舗情報を登録する。この情報は、広告対象となる飲食物およびサービスに関する詳細情報である。
【００１１】
前記情報センターは、広告依頼者からデータベースサーバに所定の広告情報が登録されたときは、広告依頼者に対し、２次元コード情報としてＱＲコードを付与する。前記情報センターは、前記２次元コード情報を管理すると共に、データベースサーバを備え、該データベースサーバは、携帯電話機からのＱＲコードを用いてのアクセスに応じて、広告依頼者の前記登録された店舗各種情報を提供する。
【００１２】
そして、飲食店に来た利用客が飲食店のテーブル常備品に印刷されたＱＲコード１、または飲食店から配布されたノベルティーに表示されたＱＲコード１を携帯電話機で撮影して、データベースサーバにアクセスすると、該データベースサーバより前記登録された店舗情報が、前記携帯電話機端末に提供されると共に、該店舗情報は携帯電話機に読み込まれて保存される。
【００１３】
前記携帯電話機に読み込まれて保存された各種店舗情報は、必要に応じていつでも呼び出して表示面に表示することができ、更にメールにより他人へ転送して、他人へ店舗情報を伝えることもできる。
【図面の簡単な説明】
【００１４】
【図１】本考案ＱＲコードを付した飲食店におけるテーブル常備品およびノベルティーの代表的な例として、コースターにＱＲコードを表示した平面図である。
【符号の説明】
【００１５】
１  ＱＲコード
２  ノベルティー(コースター)
【図１】
0003112242.tif 000003